(57)【特許請求の範囲】
【請求項１】
互いに摺動可能に嵌合結合された外側継手と内側継手とを備え、前記外側継手と内側継手の間に、外側継手と内側継手の相対位置を所定の位置に設定する位置決め部材が設けられている伸縮継手において、
前記位置決め部材がその両端に、前記外側継手と内側継手の双方に形成された凹部に係止される係止片を有し、この位置決め部材の一部に、軒樋の伸縮力により破断する薄肉部が形成されていることを特徴とする伸縮継手。
【請求項２】
薄肉部がヒンジ状とされている請求項１記載の伸縮継手。
【請求項３】
互いに摺動可能に嵌合結合された外側継手と内側継手とを備え、前記外側継手と内側継手の間に、外側継手と内側継手の相対位置を所定の位置に設定する位置決め部材が設けられている伸縮継手において、
前記位置決め部材がその両端に、前記外側継手と内側継手の双方に形成された凹部に係止される係止片を有し、かつ、この位置決め部材が水溶性の材料にて形成されていることを特徴とする伸縮継手。
【発明の詳細な説明】
【０００１】
【発明の属する技術分野】
本発明は、気温の変化に伴う軒樋の伸縮を吸収し、軒樋の変形や破損を防止できる伸縮継手に関する。
【０００２】
【従来の技術】
気温の変化に伴う軒樋の伸縮を吸収できる従来の伸縮継手として、たとえば特開平４−１８９９６１号公報、特開平４−３３９９５０号公報、実開平４−１２９２３１号公報などに記載のものが知られている。
【０００３】
上記特開平４−１８９９６１号公報に記載のものは、一端部に軒樋嵌着部を有し、他端部に接続部を有する継手本体と、一端部に軒樋嵌着部を有し、他端部に接続部を有する軒樋接続板とからなり、この軒樋接続板の外周面が前記継手本体の内周面にシール材を介して摺動自在に密着され、前記継手本体の側壁上部と軒樋接続板の側壁上部とが所定位置にてクリップで動かないように固定されている軒樋継手である。
【０００４】
また、上記特開平４−３３９９５０号公報に記載のものは、互いに摺動可能に嵌合結合された外側継手と内側継手とを備え、前記外側継手と内側継手の間に、外側継手と内側継手の相対位置を所定の位置に設定する位置決め手段が設けられている伸縮継手において、前記位置決め手段を、前記外側継手と内側継手の一方に形成されたボスと、前記外側継手と内側継手の他方に形成され、外側継手と内側継手の摺動を伸長方向に規制して前記ボスと係合している第１係止片、および外側継手と内側継手の摺動を収縮方向に規制して前記ボスと係合している第２係止片とで構成しているものである。
【０００５】
さらに、上記実開平４−１２９２３１号公報に記載のものは、互いに摺動可能に嵌合結合された外側継手と内側継手とを備え、前記外側継手と内側継手の間に、外側継手と内側継手の相対位置を所定の位置に設定する位置決め手段が設けられている伸縮継手において、前記位置決め手段を、前記外側継手と内側継手の一方に形成され、貫通孔を有する係止片と、この係止片の貫通孔に挿入された係止ピンと、前記外側継手と内側継手の他方に形成され、外側継手と内側継手の摺動を伸長方向に規制すると共に、収縮方向に規制して前記係止ピンと係合しているボスとで構成しているものである。
【０００６】
【発明が解決しようとする課題】
上記特開平４−１８９９６１号公報に記載のものにおいては、軒樋の接続が完了した後でクリップを取り外すことにより、軒樋継手に伸縮機能を付与できる。しかしながら、万が一、施工者がクリップの取り外しを忘れた場合は、軒樋継手は伸縮機能を有していないので、軒樋が湾曲したり、軒樋と軒樋継手との接続部が破損するという問題があった。
【０００７】
また、上記特開平４−３３９９５０号公報や実開平４−１２９２３１号公報に記載のものにおいても、係止ピンの取り外しを忘れたり、あるいは係止片やボスを折り曲げて除去するのを忘れた場合、上記と同様に伸縮継手に伸縮機能を付与できず、軒樋が湾曲したり、軒樋と軒樋継手との接続部が破損する。
【０００８】
本発明の目的は、軒樋の取付け施工を行った後、取り外しを不要とする位置決め部材を備えた伸縮継手を提供することである。
【０００９】
【課題を解決するための手段】
請求項１記載の本発明の伸縮継手は、互いに摺動可能に嵌合結合された外側継手と内側継手とを備え、前記外側継手と内側継手の間に、外側継手と内側継手の相対位置を所定の位置に設定する位置決め部材が設けられている伸縮継手において、前記位置決め部材がその両端に、前記外側継手と内側継手の双方に形成された凹部に係止される係止片を有し、この位置決め部材の一部に、軒樋の伸縮力により破断する薄肉部が形成されているものである。
【００１０】
請求項２記載の本発明の伸縮継手は、請求項１記載の伸縮継手において、薄肉部がヒンジ状とされているものである。
【００１１】
請求項３記載の本発明の伸縮継手は、互いに摺動可能に嵌合結合された外側継手と内側継手とを備え、前記外側継手と内側継手の間に、外側継手と内側継手の相対位置を所定の位置に設定する位置決め部材が設けられている伸縮継手において、前記位置決め部材がその両端に、前記外側継手と内側継手の双方に形成された凹部に係止される係止片を有し、かつ、この位置決め部材が水溶性の材料にて形成されているものである。
【００１２】
本発明における伸縮継手を構成している外側継手および内側継手の材料や製造方法は特に限定されないが、硬質塩化ビニル系樹脂、ポリカーボネート、ＡＢＳ、ポリオレフィン等の合成樹脂を原材料として射出成形法によって成形されるのが一般的である。
【００１３】
また、請求項１または２記載の本発明における位置決め部材の材料や製造方法は特に限定されないが、硬質塩化ビニル系樹脂、ポリカーボネート、ＡＢＳ、ポリオレフィン等の合成樹脂を原材料として、たとえば射出成形法によって成形すればよく、両端に係止片を有し、軒樋の伸縮力により破断するヒンジ状の薄肉部が部分的に形成されているものが望ましい。
【００１４】
また、請求項３記載の本発明における位置決め部材の材料は水溶性のものであればよく、たとえば高級脂肪酸のアルカリ金属塩（いわゆる石鹸）、澱粉、カルボキシメチルセルスロース、あるいはポリビニルアルコール、ポリアクリル酸、ポリメタクリル酸、ポリエチレンオキシド、ポリビニルピロリドンなどの水溶性樹脂を材料として適宜方法にて所定の形状に成形すればよい。
【００１５】
（作用）
請求項１または２記載の本発明の伸縮継手においては、位置決め部材はその両端に、外側継手と内側継手の双方に形成された凹部に係止される係止片を有し、軒樋の伸縮力により破断する薄肉部が形成されているので、軒樋の取付施工後、両端部に接続された軒樋の伸縮に対応して、伸縮継手に作用する引張力あるいは圧縮力により、位置決め部材はその薄肉部にて破断する。このため、伸縮継手は軒樋の伸縮に対応してスムーズに摺動できる。
【００１６】
請求項２記載の本発明の伸縮継手においては、薄肉部がヒンジ状であるので、位置決め部材はより容易に破断される。
【００１７】
請求項３記載の本発明の伸縮継手においては、位置決め部材がその両端に、外側継手と内側継手の双方に形成された凹部に係止される係止片を有し、かつ、水溶性の材料にて形成されているので、位置決め部材は取付施工後の水張り試験の間に溶けて無くなってしまう。
【００１８】
【発明の実施の形態】
以下、本発明の伸縮継手の実施の形態を図面を参照して説明する。
【００１９】
図１は本発明の伸縮継手の第１実施例を示す斜視図、図２は図１の要部拡大断面図、図３は位置決め部材の装着状態を示す拡大斜視図、図４および図５は図１の伸縮継手の使用態様を示す状態図であり、図４は軒樋が収縮した時の状態を示す説明図、図５は軒樋が伸長した時の状態を示す説明図である。
【００２０】
図において、伸縮継手Ａは、外側継手１と内側継手２と位置決め部材４とで構成されている。
【００２１】
外側継手１は樋嵌合部１１が軒樋Ｇの外側に嵌合可能な形状に形成され、本体部１２が樋嵌合部１１を少し拡大した形状に形成されている。樋嵌合部１１の上端部には軒樋Ｇの耳部と嵌合可能な一対の嵌合爪１３が内方に対向して形成されている。本体部１２の内面には、図２に示すように、合成ゴム製のシール材３を保持したシール用突条１４が二本平行に形成されている。
【００２２】
樋嵌合部１１と本体部１２との間の内面には係止用突条１５が形成されている。この係止用突条１５は樋嵌合部１１に軒樋Ｇを接続する際、軒樋Ｇの先端を位置決めするためのものである。そして、係止用突条１５の底部ほぼ中央には四角筒状の被係止部１６が立設されている。被係止部１６は上方が開口し、かつ、壁部の一部が樋嵌合部１１側に開口した凹部１６ａを有している。
【００２３】
内側継手２は樋嵌合部２１が軒樋Ｇの外側に嵌合可能な形状に形成され、本体部２２が樋嵌合部２１を少し縮小した形状に形成されている。樋嵌合部２１の上端部には軒樋Ｇの耳部と嵌合可能な一対の嵌合爪２３が内方に対向して形成され、本体部２２の端部外面には係止部２４が突設されている。
【００２４】
本体部２２の係止部２４側の底部ほぼ中央には係止孔２６が形成されている。この係止孔２６は上記外側継手１の被係止部１６と対向する位置に形成されている。樋嵌合部２１と本体部２２との間の内面には係止用段差２５が形成されている。この係止用段差２５は樋嵌合部２１に軒樋Ｇを接続する際、軒樋Ｇの先端を位置決めするためのものである。
【００２５】
４は位置決め部材であり、図２および３に示すように、山形の上片４１と、この上片４１の両端から下方に垂下する側片４２，４３と、この側片４２，４３の下端から外方に突設された係止片４２ａ，４３ａとから形成されている。そして、上片４１の頂部および上片４１と側片４２の連接部にはそれぞれ内方に開口したＶ字溝４４，４５が形成され、この結果、上片４１の頂部および上片４１と側片４２の連接部はともにヒンジ状の薄肉部４４ａ，４５ａとされている。薄肉部４４ａは軒樋Ｇの収縮力により破断するように、また、薄肉部４５ａは軒樋Ｇの伸長力により破断するようになされている。
【００２６】
そして、外側継手１の本体部１２の内側に内側継手２の本体部２２がシール材３を介在して摺動可能に嵌合結合された後、図３に示すように、外側継手１の本体部１２の被係止部１６と、内側継手２の本体部２２の係止孔２６に、位置決め部材４の係止片４２ａ，４３ａがそれぞれ挿入係止されることにより、外側継手１と内側継手２が所定位置、すなわち所定長さの伸縮ストローク値を保持した位置状態に設定された伸縮継手Ａが構成されている。
【００２７】
つぎに上記第１実施例の伸縮継手Ａの使用態様を図４および図５に基づいて説明する。
【００２８】
伸縮継手Ａの両端部（樋嵌合部１２，２２）に軒樋Ｇの端部を接着固定するとともに、両軒樋Ｇの耳部を嵌合爪１３，２３を両軒樋Ｇの耳部に嵌合させて軒樋Ｇを押さえ込み、軒樋Ｇとの接続を完了する。
【００２９】
そして、軒樋Ｇの取付施工後、まず両軒樋Ｇが縮小した場合、伸縮継手Ａに対しては引張力が作用することになる。この引張力Ｆ１に対応して、内側継手２が外側継手１に対してある長さを越えて伸びようとすると、図４に示すように、位置決め部材４の上片４１の薄肉部４４ａにて破断する。この結果、これ以後の軒樋Ｇの伸縮に対応してスムーズに摺動できる。
【００３０】
また、軒樋Ｇの取付施工後、両軒樋Ｇが伸長した場合は、上記とは逆に、伸縮継手Ａに対しては圧縮力が作用することになる。この圧縮力Ｆ２に対応して、内側継手２が外側継手１に対してある長さを越えて縮もうとすると、図５に示すように、位置決め部材４の上片４１と側片４２の連接部の薄肉部４５ａにて破断する。この結果、これ以後の軒樋Ｇの伸縮に対応してスムーズに摺動できる。
【００３１】
このように、上記実施例の伸縮継手Ａにおいては、位置決め部材４を軒樋Ｇの取付施工後に取り外す必要がなく、施工時間を短縮でき、施工性にすぐれている。また、輸送中に設定したストローク値がずれることもない。
【００３２】
本発明の第２実施例を図６および図７に基づいて説明する。
図６は本発明の伸縮継手の第２実施例を示す斜視図、図７は位置決め部材の装着状態を示す要部拡大斜視図である。この実施例は位置決め部材を伸縮継手の底部に設ける代わりに、外側継手１の嵌合爪１３と内側継手２の嵌合爪２３との間に跨がって設けた以外は上記第１実施例と同一であるので、上記実施例と同一の部分については、同一の符号を付して詳細な説明を省略する。
【００３３】
図に示すように、４Ａは細い棒状の位置決め部材であり、その両端部が同一方向に屈曲されて係止部４２ａ，４３ａとされている。位置決め部材４Ａの長手方向のほぼ中央はさらに細くされて薄肉部４１ａが形成されている。一方、外側継手１の樋嵌合部１１の上端部に形成された屋内側の嵌合爪１３の上面には、図に示すように、円筒状のボス１６Ａが立設されている。このボス１６Ａの内径は位置決め部材４Ａの両端の係止部４２ａの外径にほぼ等しくされている。
【００３４】
同様に、内側継手２の樋嵌合部２１の上端部に形成された屋内側の嵌合爪２３の上面にも円筒状のボス２６Ａが立設されている。このボス２６Ａの内径も位置決め部材４Ａの両端の係止部４３ａの外径にほぼ等しくされている。
【００３５】
そして、外側継手１の本体部１２の内側に内側継手２の本体部２２がシール材３を介在して摺動可能に嵌合結合された後、図７に示すように、外側継手１のボス１６Ａおよび内側継手２のボス２６Ａに、位置決め部材４Ａの両端の係止部４２ａ，４３ａがそれぞれ差し込まれることにより、外側継手１と内側継手２が所定位置、すなわち所定長さの伸縮ストローク値を保持した位置状態に設定された伸縮継手Ａ１が構成されている。
【００３６】
つぎに上記伸縮継手Ａ１の使用態様について説明する。
【００３７】
上記第１実施例の場合と同様に、軒樋Ｇの取付施工後、両軒樋Ｇが縮小して伸縮継手Ａ１に対して引張力が作用した場合、この引張力に対応して、内側継手２が外側継手１に対してある長さを越えて伸びようとすると、位置決め部材４Ａの薄肉部４１ａにて破断する。この結果、これ以後の軒樋Ｇの伸縮に対応してスムーズに摺動できる。
【００３８】
また、軒樋Ｇの取付施工後、両軒樋Ｇが伸長して伸縮継手Ａに対して圧縮力が作用した場合、この圧縮力に対応して、内側継手２が外側継手１に対してある長さを越えて縮もうとすると、位置決め部材４が曲げられ、この曲げ力に耐えられず薄肉部４１ａにて破断する。この結果、これ以後の軒樋Ｇの伸縮に対応してスムーズに摺動できる。
【００３９】
このように、上記実施例の伸縮継手Ａ１においては、位置決め部材４を軒樋Ｇの取付施工後に取り外す必要がなく、施工時間を短縮でき、施工性にすぐれている。また、輸送中に設定したストローク値がずれることもない。
【００４０】
本発明の第３実施例を図８〜図１０に基づいて説明する。
図８は本発明の伸縮継手の第３実施例を示す要部斜視図、図９および図１０は使用状態を示す説明図である。上記第１実施例における位置決め部材の材質を水溶性のものとした以外は上記第１実施例と同一であるので、上記第１実施例と同一の部分については、同一の符号を付して詳細な説明を省略する。
【００４１】
図８に示すように、４Ｂは両端部が同一方向に屈曲された幅狭の位置決め部材であり、カルボキシメチルセルスロース製のものである。
【００４２】
そして、外側継手１の本体部１２の内側に内側継手２の本体部２２がシール材３を介在して摺動可能に嵌合結合され、外側継手１の本体部１２の被係止部１６と、内側継手２の本体部２２の係止孔２６に、位置決め部材４Ｂの両端の係止部４２，４３がそれぞれ挿入係止されることにより、外側継手１と内側継手２が所定位置に設定された伸縮継手Ａ２が構成されている。
【００４３】
つぎに上記伸縮継手Ａ２の使用態様について説明する。
【００４４】
通常は軒樋Ｇの取付施工後、水張り試験を実施している。すなわち、軒樋内に水を張って、接着部からの水漏れの有無を調べる試験である。このように、上記伸縮継手Ａ２の場合は、位置決め部材４Ｂは水溶性のカルボキシメチルセルスロース製のものであるため、この位置決め部材４Ｂは水張り試験を行っている間に水Ｗに溶けて無くなってしまうことになる。
【００４５】
このように、上記実施例の伸縮継手Ａ２においては、位置決め部材４Ｂは取付施工後の水張り試験の間に溶けてしまうので、取付施工後に取り外す必要もなく、施工時間を短縮でき、施工性にすぐれている。また、輸送中に設定したストローク値がずれることもない。
【００４６】
【発明の効果】
請求項１または２記載の本発明の伸縮継手においては、位置決め部材はその両端に、外側継手と内側継手の双方に形成された凹部に係止される係止片を有し、軒樋の伸縮力により破断する薄肉部が形成されているので、軒樋の取付施工後、両端部に接続された軒樋の伸縮に対応して、伸縮継手に作用する引張力あるいは圧縮力により、位置決め部材はその薄肉部にて破断され、伸縮継手は軒樋の伸縮に対応してスムーズに摺動できる。
【００４７】
このように、位置決め部材を軒樋の取付施工後に取り外す必要がなく、施工時間を短縮でき、施工性にすぐれている。また、輸送中に設定したストローク値がずれることもない。
【００４８】
請求項２記載の本発明の伸縮継手においては、薄肉部がヒンジ状であるので、位置決め部材はより容易に破断される。
【００４９】
請求項３記載の本発明の伸縮継手においては、位置決め部材がその両端に、外側継手と内側継手の双方に形成された凹部に係止される係止片を有し、かつ、水溶性の材料にて形成されているので、位置決め部材は取付施工後の水張り試験の間に溶けて無くなってしまう。
【００５０】
このように、位置決め部材を軒樋の取付施工後に取り外す必要がなく、施工時間を短縮でき、施工性にすぐれている。また、輸送中に設定したストローク値がずれることもない。
【図面の簡単な説明】
【図１】本発明の伸縮継手の第１実施例を示す示す斜視図である。
【図２】図１の要部拡大断面図である。
【図３】位置決め部材の装着状態を示す拡大斜視図である。
【図４】軒樋が収縮した時の状態を示す説明図である。
【図５】軒樋が伸長した時の状態を示す説明図である。
【図６】本発明の伸縮継手の第２実施例を示す斜視図である。
【図７】位置決め部材の装着状態を示す要部拡大斜視図である。
【図８】本発明の伸縮継手の第３実施例を示す要部斜視図である。
【図９】図８の伸縮継手の使用状態を示す説明図である。
【図１０】図８の伸縮継手の使用状態を示す説明図である。
【符号の説明】
１  外側継手
１１  樋嵌合部
１２  本体部
１３  嵌合爪
１６  被係止部
１６ａ  凹部
２  内側継手
２１  樋嵌合部
２２  本体部
２３  嵌合爪
２６  係止孔
３  シール材
４  位置決め部材
４２ａ，４３ａ  係止片
４４ａ，４５ａ  薄肉部
Ｇ  軒樋
【図１】
0003739158.tif 000002
【図２】
0003739158.tif 000003
【図３】
0003739158.tif 000004
【図４】
0003739158.tif 000005
【図５】
0003739158.tif 000006
【図６】
0003739158.tif 000007
【図７】
0003739158.tif 000008
【図８】
0003739158.tif 000009
【図９】
0003739158.tif 000010
【図１０】
0003739158.tif 000011